(57)【特許請求の範囲】
【請求項１】
複数の球切爪を突設した球切部を有する停止回転体が、遊技球通路に連通した回転体収納部を設けたケース内に、ベアリングを介在させた状態で、回転可能に取り付けられた遊技球払出装置であって、
前記ケースが、回転体収納部を有する本体部材とカバー部材とによって形成されており、回転軸を挿通させた状態で把持する回転軸把持部が、本体部材の回転体収納部を貫くように設けられており、その回転軸把持部の外向きの端縁に押止部が設けられている一方、カバー部材の内側に、回転軸の端縁を挿通させた状態で把持する回転軸把持部が突設されており、その回転軸把持部の内向きの端縁に押止部が設けられているとともに、
前記停止回転体に軸挿通孔が穿設されており、かつ、その軸挿通孔の奥側に係止突片が設けられており、
前記ベアリングの外レースが、前記軸挿通孔に嵌め込まれて前記係止突片に当接した状態で、前記停止回転体に固定されており、かつ、前記ベアリングの内レースが、その内部に回転軸を挿通させ、かつ、前記回転軸を挿通させた本体部材の回転軸把持部に設けられた押止部と、前記回転軸を挿通させたカバー部材の回転軸把持部に設けられた押止部とによって挟持された状態で、軸方向の移動が規制されていることを特徴とする遊技球払出装置。
【発明の詳細な説明】
【０００１】
【発明の属する技術分野】
本発明は、パチンコ機の付属部品に関するものであり、詳しくは、遊技領域に打ち込まれた遊技球が入賞装置に入賞した場合に、賞品球タンクから所定数の遊技球を計数して遊技者に払い出す遊技球払出装置に関するものである。
【０００２】
【従来の技術】
従来の遊技球払出装置としては、特開平６−３４３７４８号公報に開示されたものが知られている。図１４は、かかる遊技球払出装置を示したものであり、遊技球払出装置５１は、ケース６０内に遊技球タンク（図示せず）と連通した誘導路５２が設けられており、停止回転体６１が、ケース６０に一体的に設けられた回転軸６２に、回転可能に外嵌されている。停止回転体６１は、停止円板５５に球切部５３が併設された形状を有しており、停止円板５５の外周縁には回転軸６２を中心に６０°毎に停止爪５７，５７・・が、球切部５３の外周には回転軸６２を中心に６０°毎に６つの球切爪５４，５４・・が、それぞれ設けられている。さらに、停止回転体６１にはソレノイド５６が添設されており、そのソレノイド５６のプランジャー５８の先端には、係合部材５９が固着されている。かかる遊技球払出装置５１は、通常時には、ソレノイド５６のプランジャー５８に固着された係合部材５９が停止円板５５の一つの停止爪５７と係合しており、停止回転体６１が遊技球の重力に抗して停止しているが、パチンコ機の遊技盤面に設けられた入賞装置（図示せず）への遊技球の入賞に伴いパチンコ機内部の制御装置（図示せず）から電気信号が送信されると、ソレノイド５６が断続的に上下動して係合部材５９と停止爪５７との係合状態を断続的に解除させることにより、停止回転体６１を遊技球の落下に伴って６０°ずつ回転させて、遊技球を１個ずつ払い出すようになっている。
【０００３】
【発明が解決しようとする課題】
上記従来の遊技球払出装置５１は、入賞装置に応じて予め設定された個数の賞品球を、迅速かつ正確に遊技者に払い出すことができる。しかしながら、停止回転体６１が、単に、本体ケース６０の回転軸６２に外嵌されているだけであるので、停止回転体６１が軸方向にずれて、球切部５３の球切爪５４，５４同士の間に遊技球が入り込めなくなったり、停止回転体６１の停止円板５５の外側面とケース６０の内壁との接触摩擦により停止回転体６１が回転しにくくなったりして、遊技球の払い出しがスムーズに行われなくなることがあった。
【０００４】
本発明の目的は、上記従来の遊技球払出装置が有する課題を解消し、予め設定された個数の賞品球を正確に、かつ、素早く、スムーズに遊技者に払い出すことが可能な遊技球払出装置を提供することにある。
【０００５】
【課題を解決するための手段】
かかる本発明の構成は、複数の球切爪を突設した球切部を有する停止回転体が、遊技球通路に連通した回転体収納部を設けたケース内に、ベアリングを介在させた状態で、回転可能に取り付けられた遊技球払出装置であって、前記ケースが、回転体収納部を有する本体部材とカバー部材とによって形成されており、回転軸を挿通させた状態で把持する回転軸把持部が、本体部材の回転体収納部を貫くように設けられており、その回転軸把持部の外向きの端縁に押止部が設けられている一方、カバー部材の内側に、回転軸の端縁を挿通させた状態で把持する回転軸把持部が突設されており、その回転軸把持部の内向きの端縁に押止部が設けられているとともに、前記停止回転体に軸挿通孔が穿設されており、かつ、その軸挿通孔の奥側に係止突片が設けられており、前記ベアリングの外レースが、前記軸挿通孔に嵌め込まれて前記係止突片に当接した状態で、前記停止回転体に固定されており、かつ、前記ベアリングの内レースが、その内部に回転軸を挿通させ、かつ、前記回転軸を挿通させた本体部材の回転軸把持部に設けられた押止部と、前記回転軸を挿通させたカバー部材の回転軸把持部に設けられた押止部とによって挟持された状態で、軸方向の移動が規制されていることにある。
【０００６】
【発明の実施の形態】
以下、本発明の遊技球払出装置の実施の一形態を図面に基いて詳細に説明する。
【０００７】
図１、図２は、それぞれ、遊技球払出装置の右側面、左側面を示したものである。また、図３は、図２におけるＡ−Ａ線断面（すなわち、正面側から見た断面）を示したものであり、図４は、図２におけるＡ−Ａ線断面を一部分解して示したものである。遊技球払出装置１は、ケース２の中に、２つの停止回転体３ａ，３ｂと、駆動装置である２つのソレノイド４ａ，４ｂとが収納された形状を有している。
【０００８】
ケース２は、本体部材２ａと、本体部材２ａの外側に取り付けられる２つのカバー部材２ｂ，２ｂとからなり、各部材とも合成樹脂によって透明に形成されている。本体部材２ａは、仕切板５を介して、２つの駆動装置収納部６ａ，６ｂと、２つの回転体収納室７ａ，７ｂとが略対称に併設された形状を有しており、２つの回転体収納室７ａ，７ｂの略中央を貫くように回転軸把持部８が設けられている。回転軸把持部８は、両端に押止部２４，２４が設けられており、軸方向に回転軸挿通孔９が穿設されている。そして、その回転軸挿通孔９の内部に、回転軸１０が挿通された状態になっている。また、回転体収納室７ａの後側上方、および回転体収納室７ｂの後側上方には、遊技球挿入口１１，１１が設けられており、回転体収納室７ａの後側下方、および回転体収納室７ｂの後側下方には、遊技球払出口１２，１２、が設けられている。各遊技球挿入口１１と遊技球払出口１２との間は、それぞれ、中空の遊技球通路４１，４１になっており、回転体収納室７ａ，７ｂと連通した状態になっている。
【０００９】
一方、カバー部材２ｂ，２ｂは、それぞれ、下方の内側に回転軸把持部１３が突設されている。各回転軸把持部１３，１３は、本体部材２ａの回転軸把持部８と同様に、先端に押止部２４が設けられており、回転軸挿通孔１４が穿設されている。そして、カバー部材２ｂ，２ｂは、それぞれ、回転軸把持部１３の回転軸挿通孔１４内に回転軸１０を挿通させた状態で、ネジ１５，１５・・によって本体部材２ａに取り付けられている。
【００１０】
図５（ａ）、図５（ｂ）は、それぞれ、各回転体収納室７ａ，７ｂに収納された停止回転体３ａ，３ｂを示したものであり、右側の停止回転体３ａは、球切部１６ａの右側縁に停止円板１７ａが一体的に設けられた形状を有している。そして、中央に軸挿通孔１８が穿設されており、その軸挿通孔１８の内壁に係止突片２１が周設されている。また、球切部１６ａの外周には、軸挿通孔１８を中心に６０°間隔で放射状に６個の球切爪１９ａ，１９ａ・・が突設されており、停止円板１７ａの外周縁には、軸挿通孔１８を中心に６０°間隔で放射状に６個の停止爪２０ａ，２０ａ・・が切り込み形成されている。さらに、停止円板１７ａの外側面には、軸挿通孔１８を中心とした円周上に６個の半球状の摺動突起２２，２２・・が設けられている。なお、隣り合う２つの球切爪１９ａ，１９ａ同士の間は、略円弧状の球受領域４２になっている。
【００１１】
一方、左側の停止回転体３ｂは、球切部１６ｂの左側縁に停止円板１７ｂが一体的に設けられた形状を有している。そして、右側の停止回転体３ａと同様、中央に軸挿通孔１８が穿設されており、その軸挿通孔１８の内壁に係止突片２１が周設されている。また、球切部１６ｂの外周には、軸挿通孔１８を中心に６０°間隔で放射状に６個の球切爪１９ｂ，１９ｂ・・が突設されており、停止円板１７ｂの外周縁には、軸挿通孔１８を中心に１２０°間隔で放射状に３個の停止爪２０ｂ，２０ｂ・・が切り込み形成されている。さらに、停止円板１７ｂの外側面には、右側の停止回転体３ａと同様、軸挿通孔１８を中心とした円周上に６個の半球状の摺動突起２２，２２・・が設けられており、隣り合う２つの球切爪２０ｂ，２０ｂ同士の間は、略円弧状の球受領域４２になっている。
【００１２】
そして、停止回転体３ａ，３ｂは、それぞれ、回転体収納室７ａ，７ｂに貫設された回転軸１０の周囲に、ボールベアリング２３，２３を介在させた状態で、各回転体収納室７ａ，７ｂの内部に、回転可能に軸支されている。図６は、停止回転体３ａ，３ｂの軸支部分を拡大して示したものであり、各停止回転体３ａ，３ｂが軸支された状態においては、各ボールベアリング２３，２３の内レース２５が、本体部材２ａの回転体把持部８の押止部２４とカバー部材２ｂの回転体把持部１３の押止部２４とで挟持された状態で固着され、軸方向の移動が規制されている。また、各ボールベアリング２３，２３の外レース２６は、片側面が、それぞれ、停止回転体３ａあるいは停止回転体３ｂの軸挿通孔１８内の係止突片２１に当接した状態で、軸挿通孔１８内に隙間なく嵌め込まれて固定されている。
【００１３】
また、駆動装置収納室６ａ，６ｂ内には、それぞれ、ソレノイド４ａ，４ｂが配設されている。２つのソレノイド４ａ，４ｂは、固定ビスで金属製の板部材２７に螺着され、その板部材２７が抜け止めビスで本体部材２ａに固着されることによって、左右の停止回転体３ａ，３ｂの上方に配設されている。各ソレノイド４ａ，４ｂのプランジャー２８の下側には、係合突起２９を有する係合部材３０が、コイルバネを介して取り付けられており、一方、プランジャー２８の上側には、流下塞止部材３２が取り付けられている。なお、流下塞止部材３２の板状部分３３の先端には、すべり止め突起３４が設けられている。そして、各ソレノイド４ａ，４ｂに電源が投入された場合には、プランジャー２８の上下動に伴って、係合部材３０および流下塞止部材３２が上下動するようになっている。
【００１４】
上記の如く構成された遊技球払出装置１は、図７の如く、上方に第１賞品球流下ケース３５が取り付けられ、さらに、その第１賞品球流下ケース３５の上方に第２賞品球流下ケース４０が取り付けられた状態で、パチンコ機の裏側の機構板に設置されて使用される。第１賞品球流下ケース３５および第２賞品球流下ケース４０は、それぞれ、２つの蛇行した中空の流下路３６，３６が内部に併設されている。そして、第１賞品球流下ケース３５は、各流下路３６，３６が、遊技球払出装置１の遊技球挿入口１１，１１と連通するように遊技球払出装置１に取り付けられる。なお、賞品球払出装置１、および第１、第２賞品球流下ケースは、遊技球通路４１，４１内、および流下路３６，３６・・内に遊技球が存在する場合には、第１賞品球流下ケース３５の下部と機構板３８との境（図８（ａ）におけるＢの部分）、第１賞品球流下ケース３５と第２賞品球流下ケース４０との境（図８（ａ）におけるＣの部分）、および、第２賞品球流下ケース４０の上部と機構板３８との境（図８（ａ）におけるＤの部分）に遊技球が存在しないように構成されている（それぞれの境界部分で遊技球が丁度区切れるように構成されている）。このため、遊技球通路４１内、および流下路３６，３６・・内の遊技球に邪魔されることなく、第１賞品球流下ケース３５、あるいは第２賞品球流下ケース４０のみを、それぞれ単独で容易に、機構板３８から取り外すことができる。
【００１５】
また、図８、図９は、第１賞品球流下ケース３５、第２賞品球流下ケース４０、および遊技球払出装置１を機構板３８に設置した状態を示したものである（なお、図８（ｂ）は、図８（ａ）を矢印Ａ方向から見た状態（すなわち、パチンコ機の裏側から見た状態）を示したものである）。第１、第２賞品球流下ケース３５，４０、および遊技球払出装置１は、第２賞品球流下ケース３５の各流下路３６，３６の上端がパチンコ機上方の賞品球タンク３７と連通するように、かつ、遊技球払出装置１の各遊技球払出口１２，１２がパチンコ機前面に設置された上皿（図示せず）と連通するように、パチンコ機の裏側の機構板３８に嵌め込み設置される（なお、遊技球払出装置１は機構板３８の略中央の開口部３９を大きく設けるために、パチンコ機の裏側から見た場合に遊技球払出装置１の正面が正面を向くように設置される）。そして、遊技球払出装置１は、パチンコ機に設置された制御装置（図示せず）の指令に基いて、賞品球タンク３７内の遊技球を、適宜計数しつつ、各遊技球払出口１２，１２から上皿に払い出す。以下、遊技球払出装置１による遊技球の払出作動について説明する。
【００１６】
図１０〜図１２は、第１賞品球流下ケース３５が取り付けられた遊技球払出装置１の作動状態を示したものである（なお、各図において、（ａ）は右側、（ｂ）は左側を示している）。遊技球を払い出さない場合には、ソレノイド４ａ，４ｂへ電源がＯＮされず、このため、図１０（ａ）の如く、右側のソレノイド４ａの係合部材３０が、プランジャー２８の自重とコイルバネ３１の弾性力とによって、停止回転体３ａの一つの停止爪２０ａと係合するように付勢され、停止回転体３ａが回転しない。また、同様に、左側のソレノイド４ｂの係合部材３０が、停止回転体３ｂの一つの停止爪２０ｂと係合するように付勢され、停止回転体３ｂが回転しない。したがって、賞品球流下ケース３５の各流下路３６，３６内から遊技球払出装置１まで並んだ遊技球は、最下位置にある２つが、遊技球払出装置１の各遊技球挿入口１１，１１付近で、回転体収納部室７ａの壁面と球切部１６ａの一つの球切爪１９ａとで塞き止められるとともに、回転体収納部室７ｂの壁面と球切部１６ｂの一つの球切爪１９ｂとで塞き止められて、それぞれ、流下できないようになっている。
【００１７】
一方、遊技盤面に設けられた入賞装置（図示せず）へ遊技球が入賞したこと等に伴い遊技球を払い出す場合には、パチンコ機に設置された制御装置（図示せず）が、各ソレノイド４ａ，４ｂへの電源ＯＮ／ＯＦＦを、別々にあるいは同時に繰り返させる。そして、右側の停止回転体３ａに、ソレノイド４ａへの電源のＯＮ／ＯＦＦ１回当たりに１個の遊技球を払い出させる作動を適宜回数だけ繰り返させるとともに、左側の停止回転体３ｂに、ソレノイド４ｂへの電源のＯＮ／ＯＦＦ１回当たりに２個の遊技球を払い出させる作動を適宜回数だけ繰り返させることによって、入賞装置に応じた個数の賞品球を払い出す（なお、各停止回転体３ａ，３ｂが各ソレノイド４ａ，４ｂへの電源ＯＮ／ＯＦＦにより遊技球を払い出す機構については後述する）。
【００１８】
入賞装置に遊技球が入賞した場合には、その入賞装置の賞品球数（予め設定されている）に応じた「入賞信号」が、入賞装置に付設された入賞検知センサ（図示せず）から制御装置に送信される。制御装置は、その「入賞信号」を受信すると、「各ソレノイド４ａ，４ｂへの電源をそれぞれ何回ずつＯＮ／ＯＦＦするか」を設定する（以下、右側のソレノイド４ａへの電源ＯＮ／ＯＦＦ回数をｎ1 といい、左側のソレノイド４ｂへの電源ＯＮ／ＯＦＦ回数をｎ2 という）。その際、トータルの払い出し時間を短縮するため、ｎ1 とｎ2 との差が最も小さくなるように両者を設定する。たとえば、遊技球の払い出し個数が１３の場合には（ｎ1 ，ｎ2 ）＝（５，４）に設定し、払い出し個数が１４の場合には（ｎ1 ，ｎ2 ）＝（４，５）に設定し、払い出し個数が１５の場合には（ｎ1 ，ｎ2 ）＝（５，５）に設定する。そして、制御装置は、各ソレノイド４ａ，４ｂへ、その設定した回数だけ電源をＯＮ／ＯＦＦできるようなパルス状の電気信号を送信する。
【００１９】
たとえば、賞品球数が１３個の入賞装置に遊技球が入賞した場合には、制御装置から各ソレノイド４ａ，４ｂに、それぞれ図１３（ａ）、図１３（ｂ）に示したようなパルス信号が送信される（なお、信号の形状はかかる形状に限定されない）。そして、時刻ｔ1 で、前側のソレノイド４ａに電源がＯＮされると、図１１（ａ）の如く、電磁誘導作用によって、プランジャー２８が、コイルバネ３１による下方への付勢力に打ち勝って上昇する。プランジャー２８が上昇すると、プランジャー２８の下端に固着されている係合部材３０が上昇して、停止回転体３ａの停止爪２０ａとの係合状態が解除される。このため、停止回転体３ａは、制止力がなくなるので、遊技球の落下に伴って回転する。
【００２０】
次に、時刻ｔ2 で、ソレノイド４ａへの電源がＯＦＦされると、プランジャー２８の自重とコイルバネ３１の付勢力等によって下降し、係合部材３０は、再度停止回転体３ａの一つの停止爪２０ａと係合するため、再度図１０（ａ）の如き状態となり、停止回転体３ａの回転は停止し、遊技球挿入口１１の上方に並んだ遊技球は、流下できなくなる。したがって、右側の停止回転体３ａは、時刻ｔ1 〜ｔ2 において、回転軸１０を中心として６０°のみ回転するため、遊技球挿入口１１の上方に並んだ遊技球の内、最下の１つの遊技球のみが、球切部１６ａの球切爪１９ａ，１９ａによって後続の遊技球と区切られて、遊技球払出口１２から払い出される（すなわち、右側の停止回転体３ａは、ソレノイド４ａへの電源ＯＮ／ＯＦＦ１回当たりに１個の遊技球を払い出す）。
【００２１】
また、左側の停止回転体３ｂにおいては、図１３（ｂ）のパルス信号により、時刻ｔ1 で、ソレノイド４ｂに電源がＯＮされると、図１１（ｂ）の如く、プランジャー２８の上昇により係合部材３０と停止回転体３ｂの停止爪２０ｂとの係合状態が解除されて、停止回転体３ｂが、球切部１６ｂとともに回転する。そして、時刻ｔ2 で、ソレノイド４ｂへの電源がＯＦＦされると、再度図１０（ｂ）の如き状態となり、停止回転体３ｂの回転が停止する。なお、左側の停止回転体３ｂの外周には、停止爪２０ｂ，２０ｂ・・が１２０°毎に設けられているため、時刻ｔ1 〜ｔ2 の間に、１２０°のみ回転し、２個の遊技球が払い出される（すなわち、左側の停止回転体３ｂは、ソレノイド４ｂへの電源ＯＮ／ＯＦＦ１回当たりに２個の遊技球を払い出す）。
【００２２】
そして、時刻ｔ1 〜ｔ10までの間に、上記の如き電源のＯＮ／ＯＦＦが、ソレノイド４ａにおいては５回、ソレノイド４ｂにおいては４回繰り返される。かかる電源のＯＮ／ＯＦＦの繰り返しによって、右側の停止回転体３ａは、合計５個（１個×５回）の遊技球を払い出し、左側の停止回転体３ｂは、合計８個（２個×４回）の遊技球を払い出す。したがって、遊技球払出装置１は、図１３のパルス信号によって、合計１３個の遊技球を払い出す。
【００２３】
なお、制御装置から送信されるパルス信号においては、各ソレノイド４ａ，４ｂへの電源ＯＮからＯＦＦまでの時間ｔa は、係合部材３０と停止爪２０ａとの係合状態が解除されてから停止回転体３ａが回転して次の停止爪２０ａが係合部材３０の下方に位置するまでの時間、および係合部材３０と停止爪２０ｂとの係合状態が解除されてから停止回転体３ｂが回転して次の停止爪２０ｂが係合部材３０の下方に位置するまでの時間よりも短くなるように設定される。
【００２４】
また、遊技球払出装置１においては、上述した機構によって遊技球を払い出す際に、各ソレノイド４ａ，４ｂに電源がＯＮされ、それぞれのプランジャー２８が上昇すると、その上昇に伴って、プランジャー２８の上端に取り付けられている流下塞止部材３２も上昇する（図１１参照）。各流下塞止部材３２，３２は賞品球流下ケース３５の各流下路３６，３６内をも上昇できるように構成されており、流下塞止部材３２が上昇すると、丁度その流下塞止部材３２の板状部分３３の上側に位置する遊技球（図１１中のＹ）が、板状部分３３の上面と流下路３６の内壁面とで塞き止められて流下できない状態になる。このため、その流下できなくなった遊技球の上方に位置する遊技球は、すべて塞き止められて流下できなくなる。なお、板状部分３３の最先端には、幅広いすべり止め突起３４が設けられているため、遊技球は、塞き止めている板状部分３３の上面と流下路３６の内壁面との間をすり抜けて流下したりしない。
【００２５】
一方、各ソレノイド４ａ，４ｂへの電源がＯＦＦされると、それぞれのプランジャー２８が下降し、それに伴って、流下塞止部材３２も下降し、各流下塞止部材３２の板状部分３３の上面と流下路３６の内壁面とで塞き止められて流下できない状態にあった遊技球が、再度流下可能な状態となる。そして、それらの遊技球は、各ソレノイド４ａ，４ｂへの電源ＯＮ時に遊技球が払い出されたことによって形成されたスペースを埋めるように流下する。
【００２６】
すなわち、遊技球払出装置１は、各ソレノイド４ａ，４ｂへの電源がＯＮされた状態においては、左右の停止回転体３ａ，３ｂが回転して下方の遊技球を払い出すとともに、左右の流下塞止部材３２，３２が各流下路３６，３６内の遊技球の流れを塞き止める。反対に、各ソレノイド４ａ，４ｂへの電源がＯＦＦされた状態においては、左右の停止回転体３ａ，３ｂが停止して遊技球を払い出さないが、左右の流下塞止部材３２，３２が各流下路３６，３６内の遊技球の流れを塞き止めず、次回の電源ＯＮ時の遊技球の払い出しを可能にする。
【００２７】
上記の如く構成された遊技球払出装置１は、入賞装置に遊技球が入賞した場合には、左右の各ソレノイド４ａ，４ｂを断続的に作動させ、左右の停止回転体３ａ，３ｂの停止爪２０ａ，２０ｂと左右のプランジャー２８，２８に固着された係合部材３０，３０との係合状態を断続的に解除することによって、入賞装置に応じて予め設定された正確な個数の遊技球を遊技者に払い出すことができる。
【００２８】
しかも、各停止回転体３ａ，３ｂが、ボールベアリング２３を介在させた状態で、ケース２内に取り付けられた回転軸１０に回転可能に軸支されているとともに、各ボールベアリング２３，２３の外レース２６が各停止回転体３ａ，３ｂの軸挿通孔１８内に隙間なく嵌め込まれて固定されており、かつ、各ボールベアリング２３，２３の内レース２５が本体部材２ａの回転軸把持部８の押止部２４とカバー部材２ｂの回転軸把持部１３の押止部２４とで挟持された状態で強固に固定されて、軸方向への移動を規制されているため、各停止回転体３ａ、３ｂが回転軸１０の軸方向にずれたりせず、停止球切回転体３ａの球切爪１９ａ，１９ａ同士の間あるいは停止球切回転体３ｂの球切爪１９ｂ，１９ｂ同士の間に遊技球が入り込めなくなったりしない。しかも、各停止回転体３ａ，３ｂの停止円板１７ａ，１７ｂの外側面には、それぞれ、６個ずつの半球状の摺動突起２２，２２・・が軸挿通孔１８を中心とした円周上に設けられているので、各停止円板１７ａ，１７ｂの外側面とカバー部材２ｂ，２ｂの内壁との接触摩擦により各停止回転体３ａ，３ｂが回転しにくくなったりしない。したがって、常にスムーズに、遊技球を払い出すことができる。
【００２９】
その上、各ソレノイド４ａ，４ｂへ電源がＯＮされた場合には、各プランジャー２８，２８の上昇に伴って、固着された流下塞止部材３２，３２をも上昇させて、各賞品球流下ケース３５の各流下路３６，３６内に並んだ遊技球の流下を塞き止めるので、万が一、パチンコ機に設置された制御装置等の故障により、各ソレノイド４ａ，４ｂへの電源がＯＮされたままになっても、図１２の如く、各流下塞止部材３２，３２の板状部分３３の上面と流下路３６の内壁面とで塞き止められた遊技球の下側に位置した遊技球（斜線が引かれた遊技球）を払い出すだけであり、誤って大量の遊技球を払い出したりしない。
【００３０】
なお、本発明の遊技球払出装置の構成は、上記した各実施例の態様に何ら限定されるものではなく、ケース、停止回転体、駆動装置等の形状・構造、取り付けられる賞品球流下ケースの形状・構造、設置されるパチンコ機の機構板等の形状・構造、制御装置の作動内容等を、本発明の主旨を逸脱しない範囲で適宜変更できる。
【００３１】
たとえば、ベアリングは、ボールベアリングに限定されるものではなく、ニードルベアリングやローラベアリング等の他のベアリングを使用することも可能である。
【００３２】
また、上記実施形態においては、ケースの本体部材と回転軸とを別々に設けた例について説明したが、ベアリングが固定されていれば、ケースの本体部材と回転軸とを別々に設ける必要はなく、ケースの本体部材に一体的に設けた回転軸にベアリングを介して停止回転体を軸支する構成等を採用することも可能である。さらに、停止回転体の取付構造を、上記実施形態の如く、各ボールベアリングの外レースを各回転停止体の回転軸挿通孔内に固定するとともに、各ボールベアリングの内レースを本体部材の回転軸把持部の押止部とカバー部材の回転軸把持部の押止部とで挟持して固定する構造にする場合には、回転軸を省略することもできる。加えて、ベアリングを介在させた状態でケース内に回転可能に取り付けることができれば、必ずしも停止回転体を回転軸に軸支する必要はなく、たとえば、停止回転体に固着されたベアリングの内レースをそのままケースに固着する構成等のケース内に回転軸を設けない構成を採用することも可能である。なお、ベアリングを回転軸に軸支する場合であっても、軸支しない場合であっても、ベアリングの固定方法としては、接着、螺着等の方法を利用することもできる。
【００３３】
さらに、各停止回転体の停止円板の外側面に設ける摺動突起は、半球状のものに限定されず、円錐形状のものであっても良いし、個数も６個ではなく、任意の個数を設置することが可能である。また、設置位置も軸挿通孔を中心とした円周上にする限定されるものではなく、停止円板の外側面にランダムに設置する等、任意の設置位置を選択することが可能である。
【００３４】
また、停止円板の外周縁の停止爪や球切部の外周の球切爪は、軸挿通孔を中心に１２０°間隔や６０°間隔で設ける必要はなく、適宜な角度の間隔で設けることができる（なお、そのように停止爪や球切爪の設置位置を適宜変更することによって、払出部がソレノイドへの電源ＯＮ／ＯＦＦ１回当たりにおいて払い出す遊技球の数を変化させることができる）。
【００３５】
一方、遊技球払出装置は、ソレノイドへの電源ＯＮ／ＯＦＦ１回当たりの遊技球の払い出し数が２個の払出部と１個の払出部とを併設したものに限定されず、３つ以上の払出部を併設した構造にすることも可能であるし、ソレノイドへの電源ＯＮ／ＯＦＦ１回当たりの遊技球の払い出し数が３個の払出部や４個の払出部等を併設した構造にすることもできる。また、払出部を１個のみにすることも可能である。
【００３６】
また、上記実施形態においては、制御装置から左右の各ソレノイドへパルス信号を送信することにより、各ソレノイドへの電源のＯＮ／ＯＦＦが比較的短時間の内に繰り返されて、左右の停止回転体が断続的に遊技球を払い出す様子について説明したが、本発明の遊技球払出装置は、各ソレノイドへの電源がＯＮされた場合に左右の流下塞止部材より上方の遊技球の払い出しが阻止される機構を利用することにより、各ソレノイドへの電源を比較的長時間ＯＮすることにより、所定個数（たとえば１０個）の遊技球を連続的に払い出すように使用することも可能である。かかる如く使用する場合には、トータルの払い出し時間が短縮されるというメリットがある。
【００３７】
さらに、上記実施例においては、駆動装置がソレノイドであり、停止回転体がプランジャーの上下動に伴って断続的に停止する遊技球払出装置について説明したが、本発明の遊技球払出装置の駆動装置はソレノイドに限定されるものではなく、モータ等であっても良い。駆動装置としてモータを用いる場合には、たとえば、モータの軸にカムを取り付けるとともに、係合部材をコイルバネ等によって常にそのカムの周縁と接するように配置し、モータの軸の回転によって係合部材が上下に往復動するように構成することも可能である。なお、駆動装置をソレノイドとし、プランジャーの両端に係合部材および流下塞止部材を取り付けた場合には、ソレノイドへの電源のＯＮ／ＯＦＦによって、係合部材および流下塞止部材が、停止回転体の停止と誘導路内の遊技球の塞き止めとを素早く切り替えて実行するので、上述した遊技球払出装置が有する機能、すなわち、「迅速かつ正確な個数の遊技球の払い出し」および「故障の際に誤って大量の遊技球が払い出される事態の防止」が、より一層保証されたものとなる。
【００３８】
加えて、遊技球払出装置は、停止回転体および球切部が遊技球の落下に伴って回転する構造に限定されるものではなく、球切部にステッピングモータを取り付け、球切部がステッピングモータの回転によって適宜角度ずつ回転することによって所定数の遊技球を払い出すような構造にすることも可能である。
【００３９】
【発明の効果】
本発明の遊技球払出装置によれば、停止回転体が軸方向にずれる事態が回避されるので、球切部の球切爪同士の間に遊技球が入り込めなくなったり、停止円板の外側面と本体ケースの内壁との接触摩擦により停止回転体が回転しにくくなったりせず、常にスムーズに遊技球を払い出すことができる。
【図面の簡単な説明】
【図１】遊技球払出装置の右側面を示す説明図である。
【図２】遊技球払出装置の左側面を示す説明図である。
【図３】図２におけるＡ−Ａ線断面を示す説明図である。
【図４】図２におけるＡ−Ａ線断面を一部分解して示す説明図である。
【図５】停止回転体を示す説明図である。
【図６】停止回転体の軸支部分を示す説明図である。
【図７】遊技球払出装置に第１、第２賞品球流下ケースを取り付けた状態を示す説明図である。
【図８】遊技球払出装置を第１、第２賞品球流下ケースとともに機構板に設置した状態を示す説明図である。
【図９】遊技球払出装置を第１、第２賞品球流下ケースとともに機構板に設置した状態を示す説明図である。
【図１０】遊技球払出装置の作動状態を示す説明図である。
【図１１】遊技球払出装置の作動状態を示す説明図である。
【図１２】遊技球払出装置の作動状態を示す説明図である。
【図１３】制御装置から送信される信号の一例を示す説明図である。
【図１４】従来の遊技球払出装置を示す説明図である。
【符号の説明】
１・・遊技球払出装置、２・・ケース、２ａ・・本体部材、２ｂ・・カバー部材払出部、３ａ，３ｂ・・停止回転体、４ａ，４ｂ・・ソレノイド（駆動装置）、５・・仕切板、６ａ，６ｂ・・駆動装置収納室、７ａ，７ｂ・・回転体収納室、８・・回転軸把持部、９・・回転軸挿通孔、１０・・回転軸、１１・・遊技球挿入口、１２・・遊技球払出口、１３・・回転軸把持部、１４・・回転軸挿通孔、１５・・ネジ、１６ａ，１６ｂ・・球切部、１７ａ，１７ｂ・・停止円板、１８・・軸挿通孔、１９ａ，１９ｂ・・球切爪、２０ａ，２０ｂ・・停止爪、２１・・係止突片、２２・・摺動突起、２３・・ボールベアリング、２４・・押止部、２５・・内レース、２６・・外レース、２７・・板部材、２８・・プランジャー、２９・・係合突起、３０・・係合部材、３１・・コイルバネ、３２・・流下塞止部材、３３・・板状部分、３４・・すべり止め突片、３５・・第１賞品球流下ケース、３６・・流下路、３７・・賞品球タンク、３８・・機構板、３９・・開口部、４０・・第２賞品球流下ケース、４１・・遊技球通路、４２・・球受領域、５１・・遊技球払出装置、５２・・誘導路、５３・・球切部、５４・・球切爪、５５・・停止円板、５６・・ソレノイド、５７・・停止爪、５８・・プランジャー、５９・・係合部材、６０・・ケース、６１・・停止回転体、６２・・回転軸。
【図１】
0003869159.tif 000002
【図２】
0003869159.tif 000003
【図３】
0003869159.tif 000004
【図４】
0003869159.tif 000005
【図５】
0003869159.tif 000006
【図６】
0003869159.tif 000007
【図７】
0003869159.tif 000008
【図８】
0003869159.tif 000009
【図９】
0003869159.tif 000010
【図１０】
0003869159.tif 000011
【図１１】
0003869159.tif 000012
【図１２】
0003869159.tif 000013
【図１３】
0003869159.tif 000014
【図１４】
0003869159.tif 000015